(57)【要約】【課題】安全性を備えたカキ氷製造機の提供。【解決手段】機台１上に氷納置体１０が設置され、その氷納置体底部には刃１１０を具えた刃プレート１１が設置され、氷納置体に本体２を被せる。この本体は、接触起動スイッチ２００、モーター２０１及び伝動ギアユニット２０１を備えたモーター台、回転軸２１、氷押圧プレート２２、嵌合凹部空間２３、押圧桿２４、そして加圧桿２６１を含む押圧スイッチ２６０を備えた上蓋２６、からなる。本体を機台上の氷納置体に被せて、本体の嵌合凹部空間に氷納置体を嵌合すると嵌合凹部空間に突出する押圧桿底端の押圧部２４０が押され、押圧桿が回動して加圧桿の支持状態が外れて押圧スイッチが下方に押し下げ操作可能となり、その操作により、接触起動スイッチを作動させてモーターを軌道させ、氷を削る。本体を機台から外した状態では、加圧桿は押圧桿に支持されて押圧スイッチを押圧操作できず、安全性が確保される。【選択図】図３
0003107795.tif 000002
【実用新案登録請求の範囲】
【請求項１】
上方に氷納置体が設置され、その氷納置体底部に刃を具えた刃プレートが設置された機台と、
該機台上の氷納置体に被せて嵌合する本体とから構成され、
該本体は、内部にはモーター台が設置され、そのモーター台内には接触起動スイッチ、モーター及び伝動ギアユニットが設置され、モーター台下方には回転軸が設置され、その回転軸は氷押圧プレートと螺合し、氷押圧プレート表面には複数の爪が形成されてなり、
モーター台と内壁間には嵌合凹部空間が形成されると共にモーター台一側面には押圧桿が回動可能に設置されてその押圧桿底端の押圧部が嵌合凹部空間に突出して形成され、
また、本体上方には上蓋が設置されてその最上端に押圧スイッチが設置されると共に該押圧スイッチから下向きに加圧桿が延長されて、定位置において上記押圧桿上に支持された状態とし、更にその定位置から外れた位置において接触起動スイッチに対応するよう配置されてなるものであって、
使用時、本体を機台の氷納置体に被せ、氷納置体に本体の嵌合凹部空間に嵌合すると、押圧桿の押圧部が押されることによって押圧桿が回動してその最上端の加圧桿が押圧桿の支持状態から外れて該押圧スイッチの押し下げ操作が可能となり、また、本体を氷納置体から外すことによって上記の押圧桿が回動してその上端部により押圧桿が加圧桿を支持する位置に復元して、押圧スイッチの押し下げ操作ができないようにされることによって安全性を確保した、
ことを特徴とするカキ氷製造機。
【請求項２】
前記本体の氷納置体は、外側壁に複数の凸条が成形され、本体内壁面には複数の係止条が成形され、それらが対応して掛合定位することを特徴とする請求項１記載のカキ氷製造機。
【考案の詳細な説明】
【技術分野】
【０００１】
本考案は、カキ氷製造機に関するもので、安全装置を具えたものである。
【背景技術】
【０００２】
一般のカキ氷製造機には、通常安全開閉装置が設置されていない。操作は、電源を差込み、氷を氷納置体に入れ、氷押圧体で氷を押さえ、スイッチを押す。すると氷押圧体が氷を押さえて回転させる。氷納置体の底部には刃部が設置され、氷を削る。
【特許文献１】特開平１−６３７６９号公報
【考案の開示】
【考案が解決しようとする課題】
【０００３】
解決しようとする問題点は、氷押圧体が氷を確実に押さえていない時に、スイッチを押してしまうと（もしくは不意に押した場合）、氷を削ることができず、氷が飛び出し危険である点である。そのため、安全装置が設置されたカキ氷製造機を提供することが必要である。
【課題を解決するための手段】
【０００４】
本考案は、機台上に氷納置体が設置され、その氷納置体底部には刃を具えた刃プレートが設置され、氷納置体に本体を被せる。この本体には接触起動スイッチ、モーター及び伝動ギアユニットに含まれるモーター台、回転軸、氷押圧プレート、嵌合凹部空間、押圧桿、そして加圧桿を含む押圧スイッチの上蓋が含まれる。本体を機台上に被せ、氷納置体を本体の嵌合凹部空間に嵌め込み、押圧桿底端まで押すと、その最上端が加圧桿から外れる。そして押圧スイッチを下へ押すと、接触起動スイッチがモーターを始動させて氷を削る。また本体を機台から外すと、押圧桿は加圧桿底端を支持し、押圧スイッチが下へ降りなくなることを最も主要な特徴とする。
【考案の効果】
【０００５】
本考案のカキ氷製造機は、安全装置が設置され、不意に氷が飛び出してしまうことがないという利点がある。
【考案を実施するための最良の形態】
【０００６】
図１から図３に示すとおり、本考案は機台１の上方に氷納置体１０が設置される。その氷納置体１０底部には刃１１０を具えた刃プレート１１が設置され、氷納置体１０外側壁には複数の凸条１２が形成される。本体２は、機台１の氷納置体１０上に蓋をするようにして、その本体２内には、モーター台２０が設置される。モーター台２０内には接触起動スイッチ２００、モーター２０１及び伝動ギアユニット２０２が設置される。モーター台２０下方には回転軸２１が延長され、その回転軸２１にバネ２７を被せ、氷押圧プレート２２とネジ２８で接合する。氷押圧プレート２２表面にはいくつもの爪２２０が成形され、またモーター台２０と本体２内壁の間には嵌合凹部空間２３が形成される。更に、モーター台２０一側面には押圧桿２４が回動可能に設置され、その押圧桿２４底端には押圧部２４０が形成されていて内壁面のスリットを通して嵌合凹部空間２３に突出する。嵌合凹部空間２３内壁面には複数の係止条２５が形成され、また本体２上方には上蓋２６がネジ止めされる。上蓋２６最上端には押圧スイッチ２６０が設けられ、上蓋２６内側には下向きに加圧桿２６１が延長される。この加圧桿２６１は、ちょうど押圧桿２４と接触起動スイッチ２００に対応する。
【０００７】
組立時、図１から図３に示すとおり、本体２の回転軸２１にバネ２７を嵌め、氷押圧プレート２２とネジ２８で螺合する。そして上蓋２６を本体２上方にネジ止めして上蓋２６の加圧桿２６１と押圧桿２４を対応させ、押圧桿２４で加圧桿２６１下方を支持する。それによって上蓋２６の押圧スイッチ２６０は下方向へ押し下げられない状態となる。
【０００８】
使用操作時、図４に示すとおり、氷Ａを機台１上方の氷納置体１０内に入れ、次に本体２を機台１の氷納置体１０に被せる。氷納置体１０外側の凸条１２と本体２内壁の係止条２５が対応して掛合定位する。本体２内の氷押圧プレート２２の爪２２０が氷Ａを掴み、氷納置体１０が本体２の嵌合凹部空間２３内で嵌合される。この氷納置体１０が押圧桿２４の押圧部２４０を押圧して押圧桿２４最上端を外向きに回動させ、上蓋２６の加圧桿２６１の支持状態から外すので、押圧スイッチ２６０を押し下げることができるようになる。そこで、使用者は押圧スイッチを押すだけで、加圧桿２６１が接触起動スイッチ２００を押し、モーター２０１が起動して伝動ギアユニット２０２を駆動する。同時に、伝動ギアユニット２０２は回転軸２１を駆動して氷押圧プレート２２を回転させてその掴んだ氷Ａを回転させる。そして氷納置体１０底面の刃プレート１１の刃１１０によって氷が削られる。また、押圧スイッチ２６０を押すのを緩めると、押圧桿２６１が上昇して接触起動スイッチ２００が開放されて電源が切れ、氷を削ることを停止するため、操作上の安全性が確保される。
【０００９】
このように、本考案は、本体２で機台１の氷納置体１０を蓋し、氷納置体１０が本体２の嵌合凹部空間２３内に入り、押圧桿２４の押圧部２４０を押し、上蓋２６の押圧スイッチ２６０が押圧操作可能となる。そのため、加圧桿２６１が接触起動スイッチ２００を押してモーター２０１を始動させことが可能となる。また、押圧スイッチ２６０を押すのを停止すると、加圧桿２６１が上昇して接触起動スイッチ２００から離れ、電源が切れる。更に、本体２を機台１の氷納置体１０から外すと、本体２内の押圧桿２４は即座に元の位置に復元し、上蓋２６の加圧桿２６１下方を支持した状態となり、押圧スイッチ２６０は下へ降りないため、安全である。
【図面の簡単な説明】
【００１０】
【図１】本考案の立体分解図である。
【図２】本考案の機台部分の立体分解図である。
【図３】本考案の構造断面図である。
【図４】本考案の使用状態参考図である。
【符号の説明】
【００１１】
１        機台
１０        氷納置体
１１        刃プレート
１１０        刃
１２        凸条
２        本体
２０        モーター台
２００        接触起動スイッチ
２０１        モーター
２０２        伝動ギアユニット
２１        回転軸
２２        氷押圧プレート
２２０        爪
２３        嵌合凹部空間
２４        押圧桿
２４０        押圧部
２５        係止条
２６        上蓋
２６０        押圧スイッチ
２６１        加圧桿
２７        バネ
２８        ネジ
Ａ        氷
【図１】
0003107795.tif 000003
【図２】
0003107795.tif 000004
【図３】
0003107795.tif 000005
【図４】
0003107795.tif 000006